(57)【要約】【課題】ステップルと電線類を視認しながらステップルを打ち込むことができ、使い勝手に優れたステップル保持器を提供する。【解決手段】左右の釘部１１，１１とこれら左右の釘部１１，１１の上部を連結する連結部１２とを有するステップル４を保持するステップル保持器１において、前後方向に長い把持部２と、把持部２の前側に設けられ、ステップル４の左右の釘部１１，１１を左右から挟んで挟持する挟持部３と、把持部２に設けられ、複数のステップル４を収納する収納部５と、収納部５のステップル４を取り出し可能な取出部６と、を備える。取出部６からステップル４を取り出し、このステップル４を挟持部３に挟持した状態で、片方の手で把持部２を持って打込み場所にステップル４を位置合わせし、他方の手でハンマーによりステップル４を打ち込むことができる。【選択図】図１
2018202548.tif 000002
【特許請求の範囲】
【請求項１】
左右の釘部とこれら左右の釘部の上部を連結する連結部とを有するステップルを保持するステップル保持器において、
前後方向に長い把持部と、
前記把持部の前側に設けられ、前記ステップルの前記左右の釘部を左右から挟んで挟持する挟持部と、
前記把持部に設けられ、複数の前記ステップルを収納する収納部と、
前記収納部の前記ステップルを取り出し可能な取出部と、
を備えることを特徴とするステップル保持器。
【請求項２】
前記挟持部は左右の腕部を有し、これら左右の腕部の内面に前記釘部が係入する係入受け部を設けたことを特徴とする請求項１記載のステップル保持器。
【請求項３】
水平位置の前記腕部の下縁に対して前記把持部の下面が後側に向かって高くなる傾斜をなすことを特徴とする請求項２記載のステップル保持器。
【請求項４】
前記把持部の下面に電線類が係入する溝部を形成すると共に、前記左右の腕部の間に前記電線類が挿入可能なことを特徴とする請求項３記載のステップル保持器。
【請求項５】
前記左右の腕部は、前端が自由端であり、
前記係入受け部は、前記腕部の外面側に凹んだ上下方向の縦溝部であることを特徴とする請求項２〜４のいずれか１項に記載のステップル保持器。
【発明の詳細な説明】
【技術分野】
【０００１】
本発明は、ステップルを打込む際にステップルを保持するステップル保持器に関する。
【背景技術】
【０００２】
従来、この種のステップルを扱うものとして、切り離し可能な状態で複数個連結した連結ステップルを収納するステップル摺動部と、そのステップル摺動部から前記ステップルの各々が打ち込まれる打込口と、前記打込口から前記ステップルの各々を前記ステップル摺動部外へ打ち込むためのステップル打込手段とを備え、前記ステップル摺動部の少なくとも中間部を曲線状の下り勾配としたものとすると共にこの下り勾配とした部分の周囲を持ち手部にしたステップル打込機（例えば特許文献１）が提案されている。
【０００３】
上記ステップル打込機では、ステップル打込手段をハンマーなどにより叩くことにより、ステップルを間接的に打込むため、打ち込みの際にステップルと電線類が作業者から見えず、ハンマーに加える力加減を調節することが難しいという問題がある。また、複数のステップルが連結された連結ステップルを用いるものであるため、汎用の単体ステップルが使用できないという問題もある。
【０００４】
これに対して、握り部の先端に、上下が開口した打込収納カバーを間隔を置いて取付け、この内側に、上部にハンマー打設部を設けたステップル打込部を上下動自在に設け、前記打込収納カバーの前面にステップル挿入口を形成すると共に、これと対向する握り部の前面に磁石を取付けたステップル打込工具（例えば特許文献２）が提案されている。
【０００５】
上記ステップル打込工具では、汎用のステップルを使用することができるが、ステップルを打込工具とは別の腰袋などに入れて用意する必要がある。このためステップルを腰袋から取り出し、打込工具に装着する作業に手間が掛かると共に、取出す際、腰袋に入ったステップルの釘部に接触する虞もある。また、このステップル打込工具でも、上記ステップル打込機と同様に、打込みの際にステップルと電線類の状態を見ることができず、ハンマーに加える力加減を調節することが難しかった。
【先行技術文献】
【特許文献】
【０００６】
【特許文献１】特開平１０−２９１１７２号公報
【特許文献２】特開２０１７−１３２１９号公報
【発明の開示】
【発明が解決しようとする課題】
【０００７】
そこで、本発明は、上記問題点を解決するものであり、ステップルと電線類を視認しながらステップルを打ち込むことができ、使い勝手に優れたステップル保持器を提供することを目的とする。
【課題を解決するための手段】
【０００８】
請求項１の発明は、左右の釘部とこれら左右の釘部の上部を連結する連結部とを有するステップルを保持するステップル保持器において、前後方向に長い把持部と、前記把持部の前側に設けられ、前記ステップルの前記左右の釘部を左右から挟んで挟持する挟持部と、前記把持部に設けられ、複数の前記ステップルを収納する収納部と、前記収納部の前記ステップルを取り出し可能な取出部と、を備えることを特徴とする。
【０００９】
請求項１の構成によれば、取出部からステップルを取り出し、このステップルを挟持部に挟持した状態で、片方の手で把持部を持って打込み場所にステップルを位置合わせし、他方の手でハンマーによりステップルを打ち込むことができる。このように直接打込むことができるため、挟持部により挟持した状態で少なくとも１回ステップルを叩いた後、挟持部を外し、この後、木質の固さに応じて力を加減しながら打ち込むことができる。また、保持器には、複数のステップルが収納されており、取出部から取り出すことができるため、効率よくステップルを挟持部にセットすることができる。
【００１０】
請求項２の発明は、前記挟持部は左右の腕部を有し、これら左右の腕部の内面に前記釘部が係入する係入受け部を設けたことを特徴とする。
【００１１】
請求項２の構成によれば、左右の腕部の係入受け部に左右の釘部を係入することにより、ステップルを保持することができる。
【００１２】
請求項３の発明は、水平位置の前記腕部の下縁に対して前記把持部の下面が後側に向かって高くなる傾斜をなすことを特徴とする。
【００１３】
請求項３の構成によれば、電線類の取付面に腕部の下縁を当て、取付面から離れた把持部を電線類と共に、把持することができる。このように把持部と共に電線類を把持できるため、電線類に所定の張力を加えた状態でステップルにより固定することができる。
【００１４】
請求項４の発明は、前記把持部の下面に電線類が係入する溝部を形成すると共に、前記左右の腕部の間に前記電線類が挿入可能なことを特徴とする。
【００１５】
請求項４の構成によれば、把持部の溝部に電線類を合わせることにより、把持部と共に電線類を把持し易くなる。
【００１６】
請求項５の発明は、前記左右の腕部は、前端が自由端であり、前記係入受け部は、前記腕部の外面側に凹んだ上下方向の縦溝部であることを特徴とする。
【００１７】
請求項５の構成によれば、自由端である前端側から左右の腕部の間に電線類を挟み込み易くなり、左右の縦溝部に釘部を係入するため、左右の腕部間にステップルを簡便に装着することができる。
【発明の効果】
【００１８】
ステップルと電線類を視認しながらステップルを打込むことができ、収納部のステップルを取出部から取り出して挟持部に装着することができ、使い勝手に優れたものとなる。
【図面の簡単な説明】
【００１９】
【図１】本発明の実施例１を示す斜視図である。
【図２】同上、前側の平面図である。
【図３】同上、一部を切り欠いた前側の側面図である。
【図４】同上、挟持部の斜視図である。
【図５】同上、取出部の拡大平面図である。
【図６】同上、送り手段の分解斜視図である。
【図７】同上、把持部の断面図である。
【図８】同上、後側の拡大断面図である。
【図９】同上、要部の拡大断面図である。
【発明を実施するための形態】
【００２０】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。
【実施例１】
【００２１】
以下、本発明の実施例を添付図面を参照して説明する。図１〜図９は本発明の実施例１を示す。同図に示すように、ステップル保持器１は、前後方向に長い本体たる把持部２と、この把持部２の前側に設けられた挟持部３と、前記把持部２内に設けられ複数のステップル４を収納する収納部５と、この収納部５の前側に設けられ、該収納部５内のステップル４を取り出し可能な取出部６とを備え、前記挟持部３は、前記把持部２の先端から前方に突設され、ステップル４を挟んで保持するものである。尚、前記把持部２は片手で把持できる程度の太さである。
【００２２】
前記ステップル４は、左右に縦方向の釘部１１，１１を備え、これら左右の釘部１１，１１の上端を連結部１２により連結している。また、前記ステップル４の外面には、釘部１１，１１の下部側を残して、被覆部たる絶縁被覆１３が設けられている。さらに、ステップル４は、取付位置である柱や梁などの木質材１４の外面の取付面１４Ａに、電線類たるケーブル１５を固定するために用いられる。
【００２３】
前記把持部２は、底板部２１と、この底板部２１の左右に一体に設けた側板部２２，２２と、これら側板部２２，２２の上部に設けた上板部２３とを備え、左右方向の断面が略方形をなし、内部に前記収納部５が設けられている。また、前記上板部２３は、前側上板部２４と後側上板部２５とに前後で分割され、後側上板部２５は前側上板部２４より前後方向に長く形成されている。前記前側上板部２４は、左右の側板部２２，２２の上縁に固定され、前記後側上板部２５の前縁が枢着部２６により前側上板部２４に回動可能に連結され、その後側上板部２５により、前記収納部５の後側の上部開口を開閉可能に構成している。このように、前記後側上板部２５は、収納部５の上部開口を開閉する蓋体である。
【００２４】
図９に示すように、前記底板部２１の幅方向中央には、前記ケーブル１５の少なくとも一部を収納する溝部２７が全長に渡って形成されている。前記把持部２は前記左右の側板部２２，２２の前端から前方に左右の腕部３１，３１を突設し、これら左右の腕部３１，３１の前端は自由端に形成されている。前記左右腕部３１，３１はバネ材の金属製板材からなり、厚さ方向を保持器１の左右方向とし、その後端３１Ｋを前記側板部２２に連結固定している。また、前記把持部２の下面２Ｋに対して、前記左右腕部３１，３１の下縁３１Ｓ，３１Ｓは前側が高くなるように斜めに形成され、前記左右腕部３１，３１の下縁３１Ｓ，３１Ｓを水平にした場合、下縁３１Ｓ，３１Ｓと把持部２の下面２Ｋとのなす角度は１０〜１３度程度であり、把持部２の下面２Ｋが後側に向かって高くなるように傾斜し、下縁３１Ｓと側板部２２の下縁との間に、屈曲角部３６が形成されている。
【００２５】
図２の平面図に示すように、前記左右腕部３１，３１の後端側には屈曲部３２，３２を設けて該左右腕部３１，３１の前側の間隔を狭く形成し、左右腕部３１，３１の前端には、左右方向外側に広がる湾曲前端部３３，３３が形成され、前記屈曲部３２，３２から湾曲前端部３３，３３までの間は、左右腕部３１，３１は略平行に形成され、この平行に形成された左右腕部３１，３１の前側に、前記左右の釘部１１，１１を保持する係入受け部たる縦溝部３４，３４が設けられている。この例では、それら縦溝部３４，３４は、前記左右腕部３１，３１の内面に設けられていると共に、外面側に凹んだ略半円状をなす上下方向の溝であり、腕部３１の板材を屈曲して形成されている。尚、左右腕部３１，３１の中央側の間隔は、前記ケーブル１５が挿入可能な寸法であり、ケーブル１５の左右幅と略同一とすることが好ましい。また、腕部３１の高さはケーブル１５の高さと略同じか、多少高くすることができる。
【００２６】
また、図２に示すように、前記左右の湾曲前端部３３，３３は、その間隔が前端縁３５側に向かって左右方向外側に広がると共に、図５に示すように、前記左右の湾曲前端部３３，３３は、上下方向において、下側に向かって左右方向外側に広がるように湾曲状に形成されている。これにより、湾曲前端部３３，３３の前端縁３５，３５は、その上端３５Ａ，３５Ａ間が狭いと共にその下端３５Ｂ，３５Ｂが広くなるように、左右方向中央側に凸な湾曲状に形成され、これにより左右の腕部３１，３１によりケーブル１５を挟み易くなっている。
【００２７】
ステップル保持器１は、複数のステップル４を前記取出部６に送る送り手段４１を備える。以下、その送り手段４１について説明すると、前記収納部５には、ステップル４をガイドするガイドレール４２が設けられている。このガイドレール４２は、前記底板部２１の上面２１Ａに固定した左右のガイド側板部（ガイドの側板部）４３，４３と、これら左右のガイド側板部４３，４３の上部間に設けられた上板部４４と、この上板部４４の幅方向中央に設けた前後方向のスリット部４５とを有する。そして、前記把持部２の内面とガイドレール４２との間に、ステップル４を前側に送る通路４６が形成され、ガイドレール４２に被せるようにして複数のステップル４を前後方向に複数列に並べて収納する。
【００２８】
前記送り手段４１は、最後列のステップル４を押す押し部材５１と、前記把持部２の後部開口５２に着脱可能に設ける後蓋体５３と、この後蓋体５３を前記後部開口５２に固定及び固定解除可能な固定部材５４と、前記後蓋体５３に対して前記押し部材５１を前方に付勢する付勢手段たるコイルスプリング５５とを備える。前記押し部材５１は下部が開口した略コ字形をなし、前後幅が略一定で、前記ステップル４の上部に対応する形状を有し、前記ステップル４の絶縁被覆１３側を押すものである。また、前記押し部材５１の下部には前後方向の案内筒部５６が設けられ、この案内筒部５６は縦方向の連結部５７により前記押し部材５１に一体に設けられ、前記連結部５７が前記スリット部４５に遊挿される。尚、前記後蓋体５３の下面にも前記溝部２７が形成されている。
【００２９】
前記案内筒部５６にガイド杆５８が遊挿され、このガイド杆５８の後部が前記後蓋体５３の内蓋部５９に固定され、前記案内筒部５６と前記後蓋体５３との間で、前記ガイド杆５８に付勢手段たる前記コイルスプリング５５が外装されている。尚、ガイド杆５８は、ガイドレール４２内を通って取出部６の近傍まで延設されている。
【００３０】
前記固定部材５４はヒンジ部５４Ａにより前記後蓋体５３の上部に回動可能に設けられ、その固定部材５４の前端に係止部５４Ｂが設けられ、この係止部５４Ｂが係止する係止受け部２５Ａが、前記後側上板部２５の後側上面に形成されている。また、後蓋体５３の内蓋部５９と後部開口５２の底板部２１の上面の一方に、凸係合部６０を設けると共に、他方に前記凸係合部６０と係脱可能な凹係合部６０Ａを設けており、この例では、内蓋部５９に凸係合部６０を設け、底板部２１に凹係合部６０Ａを設け、前記内蓋部５９は収納部５の後部開口５２内に内嵌する。
【００３１】
前記ガイドレール４２は前記取出部６まで延設され、そのガイドレール４２の前端が収納部５の前端であり、この収納部５の前側の上部と左右に前記取出部６が設けられている。また、前記ガイドレール４２の前端には位置決め部６１が配置されている。この位置決め部６１は前記ガイドレール４２より左右方向に幅狭な板材からなり、且つ前記位置決め部６１は、ステップル４の左右幅よりも狭く、前記底板部２１の上面から略垂直に突設され、その位置決め部６１にはステップル４が吸着する永久磁石６２が設けられ、この例では、位置決め部６１の後面に永久磁石６２が設けられている。尚、前記底板部２１の前端は前記位置決め部６１の下部まで延設されており、底板部２１の前端に前記位置決め部６１が立設されている。また、取出部６には、前記左右の側板部２２，２２の前上側を切り欠いた横開口部６３，６３が設けられており、この横開口部６３の下部には低い側板部２２Ａ，２２Ａが設けられ、これら低い側板部２２Ａ，２２Ａは前記腕部３１と略同じ高さをなす。尚、位置決め部６１の高さは、最前列のステップル４の高さと略同一である。
【００３２】
さらに、前記取出部６には、前記前側上板部２４の前端に上開口部６４を設けられ、この上開口部６４は、前記前側上板部２４の前端左右の角部を切り欠いた切欠き開口部６４Ａ，６４Ａと、これら切欠き開口部６４Ａ，６４Ａの左右方向中央に設けられ左右の切欠き開口部６４Ａ，６４Ａを連通する連通開口部６４Ｂが設けられており、前記左右の切欠き開口部６４Ａ，６４Ａの間に、前記前側上板部２４の先端である上板先端部６５が設けられている。尚、前記連通開口部６４Ｂは、前記上板先端部６５の前端縁６５Ｓと前記位置決め部６１との間の開口である。そして、前記取出部６は、連続する前記横開口部６３と上開口部６４を有し、これら横開口部６３と上開口部６４が、前端のステップル４の上部及び左右上部に設けられた開口部である。
【００３３】
前端のステップル４が前記永久磁石６２に吸着された状態で、前記上板先端部６５の前端縁６５Ｓは、前から二列目のステップル４の上部に位置し、好ましくは、前記前端縁６５Ｓは２番目のステップル４の前後厚さの中央に設けられる。即ち、前記前端縁６５Ｓと永久磁石６２の後面との間隔Ｋを、ステップル４の１．５本分の寸法とすることが好ましい。そして、前記前端縁６５Ｓにより、二列目のステップル４の抜け出しを防止する抜け出し防止部を構成している。
【００３４】
次に、前記ステップル保持器１の使用例について説明する。まず、後部の固定部材５４を操作し、係止受け部２５Ａから係止部５４Ｂを外し、把持部２から後蓋体５３を外す。こうすることにより、コイルスプリング５５が伸長する。
【００３５】
後蓋体５３を外すと、後側上板部２５を開くことができ、収納部５の上部開口からガイドレール４２に複数のステップル４を外装するようにして並べる。後側上板部２５を閉め、逆の手順で後蓋体５３を把持部２の後部に取り付ける。また、この際、押し部材５１の連結部５７をスリット部４５に遊挿すると共に、押し部材５１により最後列のステップル４の上部後側を押し、これによりコイルスプリング５５が収縮し、コイルスプリング５５の弾性復元力により複数のステップル４が前側に付勢される。
【００３６】
打込みの際には、把持部２と溝部２７に合わせたケーブル１５とを一緒に把持し、左右の腕部３１，３１によりケーブル１５を挟むようにする。把持した手と逆の手で、取出部６の最前列のステップル４を摘まんで上方に抜き取り、そのステップル４を縦溝部３４，３４に装着する。この場合、予め左右の腕部３１，３１によりケーブル１５を挟んだ状態で、ステップル４を挟持部３に装着するようにすることが好ましい。
【００３７】
腕部３１，３１間に保持したステップル４をハンマー（図示せず）で打込んだ後、取付面１４Ａから浮いている把持部２側を押し下げると、屈曲角部３６を支点とした梃子の原理で腕部３１，３１が取付面１４Ａ上に離れ、腕部３１，３１がステップル４から外れる。この後、ステップル４とケーブル１５とを目視しながら、所定の手加減でステップル４を打ち込むことができる。
【００３８】
そして、保持器１を用いることにより、配線工事においては、ステップル４を保持器１で保持することにより、指を叩くことがなくなる。
【００３９】
また、ステップル４を取出部６から１本１本取り出すことができるので、所謂、電工腰袋の中に手を入れ、指でステップル４を取り出す際に釘部１１に接触することがなく、手間もかからない。
【００４０】
この保持器１では、ステップル４を直接ハンマーで打つことができるので、木質材１４の固さに応じて力加減を調節することができ、電気工事作業者の技術を生かすことができる。
【００４１】
また、保持器１は、比較的軽量で、手で持っても負担にならず、電工腰袋に楽に収納することができ、構造も簡単で故障も少なく、汎用の単体ステップル４を使用できるので、ステップル４の調達も容易である。
【００４２】
このように本実施例では、請求項１に対応して、左右の釘部１１，１１とこれら左右の釘部１１，１１の上部を連結する連結部１２とを有するステップル４を保持するステップル保持器１において、前後方向に長い把持部２と、把持部２の前側に設けられ、ステップル４の左右の釘部１１，１１を左右から挟んで挟持する挟持部３と、把持部２に設けられ、複数のステップル４を収納する収納部５と、収納部５のステップル４を取り出し可能な取出部６と、を備えるから、取出部６からステップル４を取り出し、このステップル４を挟持部３に挟持した状態で、片方の手で把持部２を持って打込み場所にステップル４を位置合わせし、他方の手でハンマーによりステップル４を打ち込むことができる。このように直接打込むことができるため、挟持部３により挟持した状態で少なくとも１回ステップル４を叩いた後、挟持部３を外し、この後、木質の固さに応じて力を加減しながら打ち込むことができる。また、保持器１には、複数のステップル４が収納されており、取出部６から取り出すことができるため、効率よくステップル４を挟持部３にセットすることができる。
【００４３】
このように本実施例では、請求項２に対応して、挟持部３は左右の腕部３１，３１を有し、これら左右の腕部３１，３１の内面に釘部１１，１１が係入する係入受け部たる縦溝部３４，３４を設けたから、左右の腕部３１，３１の縦溝部３４，３４に左右の釘部１１，１１を係入することにより、ステップル４を保持することができる。
【００４４】
このように本実施例では、請求項３に対応して、水平位置の腕部３１の下縁３１Ｓに対して把持部２の下面２Ｋが後側に向かって高くなる傾斜をなすから、電線類たるケーブル１５を取付ける取付面１４Ａに、腕部３１の下縁３１Ｓを当て、取付面１４Ａから離れた把持部２をケーブル１５と共に把持することができる。このように把持部２と共にケーブル１５を把持できるため、ケーブル１５に所定の張力を加えた状態でステップル４により固定することができる。
【００４５】
このように本実施例では、請求項４に対応して、把持部２の下面２Ｋに電線類たるケーブル１５が係入する溝部２７を形成すると共に、左右の腕部３１，３１の間にケーブル１５が挿入可能であるから、把持部２の溝部２７にケーブル１５を合わせることにより、把持部２と共にケーブル１５を把持し易くなる。
【００４６】
このように本実施例では、請求項５に対応して、左右の腕部３１，３１は、前端が自由端であり、係入受け部は、腕部３１の外面側に凹んだ上下方向の縦溝部３４であるから、自由端である前端側から左右の腕部３１，３１の間にケーブル１５を挟み込み易くなり、左右の縦溝部３４，３４に釘部１１，１１を係入するため、左右の腕部３１，３１間にステップル４を簡便に装着することができる。
【００４７】
尚、左右の腕部３１，３１は、前端側の間隔が前側に向かって広がるように構成すれば、さらに、ケーブル１５を挟み込み易くなる。
【００４８】
以下、実施例上の効果として、左右の腕部３１，３１がバネ材からなり、腕部３１がバネ性を有するから、ステップル４を確実に保持できると共に、少なくとも１回ステップル４を叩いた後、ステップル４から腕部３１を取り外し易くなる。
【００４９】
また、把持部２の前部に取出部６を設けると共に、取出部６より係入受け部たる縦溝部３４は前側に位置し、収納部５に前後方向に並んだ複数のステップル４を取出部６に送る送り手段４１を備え、取出部６には、最前列のステップル４の前側が当接する位置決め部６１が設けられると共に、位置決め部６１に当接したステップル４の上部及び左右上部に開口部たる上開口部６４及び横開口部６３，６３が設けられているから、送り手段４１により、前後方向に複数並んだステップル４が取出部６に送られ、取出部６では最前列のステップル４が位置決め部６１に当接して位置決めされ、この状態でステップル４の左右を、例えば親指と人差し指により摘まんで上方に抜き取ることができ、このまま前側の係止受け部たる縦溝部３４，３４に係止することができる。
【００５０】
また、位置決め部６１にはステップル４が吸着する永久磁石６２が設けられているから、永久磁石６２により吸着により、ステップル４が不用意に抜けることがなく、最前列のステップル４が取出部６において安定して保持される。
【００５１】
また、取出部６には、二列目のステップル４の上方への抜け出しを防止する抜け出し防止部たる前端縁６５Ｓが設けられているから、最前列のステップル４を上方に抜き取る際、次のステップル４の抜け出しを防止することができ、１個ずつ確実にステップル４を取り出すことができる。
【００５２】
また、ステップル４は、連結部１２及び釘部１１，１１の上部に被覆部たる絶縁被覆１３を有し、送り手段４１は、前後方向に並んだ複数のステップル４を案内し、該ステップル４を外装するガイドレール４２と、ステップル４の絶縁被覆１３側の後部を押す押し部材５１と、押し部材５１を前方に付勢する付勢手段たるコイルスプリング５５と、を備えるから、複数のステップル４がガイドレール４２により案内されると共に、コイルスプリング５５により押し部材５１がステップル４の絶縁被覆１３側の後部を押すため、比較的高価な連結ステップルを使う必要がなく、汎用性の高い単体のステップル４を用いることができる。
【００５３】
加えて、以下、実施例上の効果として、前記左右の湾曲前端部３３，３３は、その間隔が前端側に向かって左右方向外側に広がるから、腕部３１，３１によりケーブル１５を挟み易くなる。また、位置決め部６１は、ステップル４の左右幅よりも狭く形成されているから、取出部６からステップル４を取り出し易くなる。さらに、左右の横開口部６３，６３及び上側左右の切欠き開口部６４Ａ，６４Ａはステップル４の２本以上開口しているから、ステップル４を指で挟んで取り出し易い。また、実施例の打込み方法では、腕部３１，３１間に保持したステップル４をハンマー（図示せず）で打込んだ後、取付面１４Ａから浮いている把持部２側を押し下げると、屈曲角部３６を支点とした梃子の原理で腕部３１，３１が取付面１４Ａ上に離れ、腕部３１，３１がステップル４を簡便に外すことができる。
【００５４】
尚、本発明は、本実施例に限定されるものではなく、本発明の要旨の範囲内で種々の変形実施が可能である。例えば、実施例では、低い側板部の前端に腕部の後端を連結したが、低い側板部を腕部の一部にした腕部をバネ材から形成してもよく、この場合は、側板部２２と低い側板部２２Ａとの境目が腕部の後端となる。さらに、屈曲部３２又は屈曲部３２の前後の近傍を、腕部の後端にしてもよい。また、腕部は、ばね性を有する金属材料又は樹脂材料からなる板ばねから形成することが好ましい。
【符号の説明】
【００５５】
１  ステップル保持器
２  把持部
２Ｋ  下面
３  挟持部
４  ステップル
５  収納部
６  取出部
１１  釘部
１２  連結部
１３  絶縁被覆（被覆部）
１４Ａ  取付面
１５  ケーブル（電線類）
２７  溝部
３１  腕部
３１Ｓ  下縁
３４  縦溝部（係入受け部）
４１  送り手段
４２  ガイドレール
５１  押し部材
５５  コイルスプリング（付勢手段）
６１  位置決め部
６２  永久磁石
６３  横開口部（開口部）
６４  上開口部（開口部）
６５Ｓ  前端縁（抜け出し防止部）
【図１】
2018202548.tif 000003
【図２】
2018202548.tif 000004
【図３】
2018202548.tif 000005
【図４】
2018202548.tif 000006
【図５】
2018202548.tif 000007
【図６】
2018202548.tif 000008
【図７】
2018202548.tif 000009
【図８】
2018202548.tif 000010
【図９】
2018202548.tif 000011